(57)【特許請求の範囲】
【請求項１】
着呼時に電話交換機からの回線信号を解析して発呼側の電話番号を検出する電話番号検出部と、その相手電話番号に対応する相手通信端末の種別を判定する判定部と、相手電話番号と共に前記判定部による種別判定の結果を記憶する記憶部とを備え、
前記判定部は、
前記電話番号検出部で検出した発呼側の電話番号が前記記憶部に記憶されていない場合、回線閉結後に発呼側が非音声端末か否かを判定し、非音声端末の場合には検出した電話番号にファクシミリ装置を表す第１の種別を付与し、非音声端末でない場合には検出した電話番号には電話機を表す第２の種別を付与し、
前記電話番号検出部で検出した発呼側の電話番号が前記記憶部に第１の種別として記憶されている場合に、回線閉結後にファクシミリ通信手順が成立するか否かを判定し、該手順不成立の場合には第３の種別を付与する種別付与手段を備えてなる通信端末装置。
【請求項２】
前記記憶部に記憶された種別判定の結果は、
該通信端末装置に設けられた操作部からの操作によって変更可能である請求項１に記載の通信端末装置。
【発明の詳細な説明】
【０００１】
【発明の属する技術分野】
本発明は、発信元電話番号表示サービスを利用して、ファクシミリ通信や電話による通話を効率的に行えるようにした通信端末装置に関する。
【０００２】
【従来の技術】
電話回線を利用した通信端末装置（例えばファクシミリ装置）には、発呼側と被呼側とで回線が閉結された後に、発呼側が自己の電話番号等の発信元情報を被呼側に送信するという機能を有するものもある。
【０００３】
【発明が解決しようとする課題】
ところで、日本電信電話株式会社（ＮＴＴ）は、特定地域において発信元電話番号表示サービスを試験的に実施しており、このサービスを平成１０年から「ナンバー・ディスプレイ」として全国的に実施する。この発信元電話番号表示サービスとは、発呼側の電話機からの接続要請を受けたＮＴＴの電話交換機が、被呼側の電話機に対して発呼側の電話番号を事前に（回線閉結前に）知らせ、被呼側電話機のハンドセットがオンフックされたままの状態で、その電話機に設けられたディスプレイに発信元電話番号を表示させるというものである。これにより、被呼側の利用者は、その表示された発信元電話番号を見て、呼出ベルが鳴っている電話に出るか否かを選択できるというものである。
【０００４】
ちなみに同様のサービスは既に北米地域において「Ｃａｌｌｅｒ−ＩＤ」として実施されている。コーラーＩＤによれば、図５に示すように、発呼側の発呼に基づいて被呼側に断続的な呼出信号Ｃ１（発振期間：２秒／停止期間：４秒）を送信する際に、その呼出信号Ｃ１の停止期間中に発呼側の電話番号に関するデータを１２００ｂｐｓのモデム信号Ｃ２として同時提供している。そして、被呼側の通信端末装置において、回線信号Ｃ０からモデム信号Ｃ２を抽出し解析することで、被呼側の利用者は発呼側の電話番号を着信前（回線閉結前）に知ることができる。
【０００５】
本発明の目的は、上述のような発信元電話番号表示サービスを利用して、被呼側の通信端末装置における着呼後の通信処理をより効率化することができる通信端末装置を提供することにある。
【０００６】
【課題を解決するための手段】
請求項１の発明は、着呼時に電話交換機からの回線信号を解析して発呼側の電話番号を検出する電話番号検出部と、その相手電話番号に対応する相手通信端末の種別を判定する判定部と、相手電話番号と共に前記判定部による種別判定の結果を記憶する記憶部とを備え、前記判定部は、  前記電話番号検出部で検出した発呼側の電話番号が前記記憶部に記憶されていない場合、回線閉結後に発呼側が非音声端末か否かを判定し、非音声端末の場合には検出した電話番号にファクシミリ装置を表す第１の種別を付与し、非音声端末でない場合には検出した電話番号には電話機を表す第２の種別を付与し、前記電話番号検出部で検出した発呼側の電話番号が前記記憶部に第１の種別として記憶されている場合に、回線閉結後にファクシミリ通信手順が成立するか否かを判定し、該手順不成立の場合には第３の種別を付与する種別付与手段を備えてなる通信端末装置である。
【０００７】
尚、「着呼時」とは、電話交換機からの回線信号（呼出信号を含む）が被呼側である当該通信端末装置に届いているが電話回線は未閉結の状態をいう。
請求項１の通信端末装置によれば、電話番号検出部は、着呼時に電話交換機からの回線信号を解析して発呼側の電話番号を検出する。判定部は、その電話番号に対応する相手通信端末の種別を判定する。記憶部は、相手電話番号と共に前記判定部による種別判定の結果を記憶する。このように、記憶部には相手電話番号とそれに対応する相手通信端末の種別とが併せて記憶されることになるため、回線閉結前の着呼の時点で、電話番号検出部により検出された電話番号が既に記憶部に記憶されているものであるか否かを判定することが可能となる。そして、その検出された電話番号が既に記憶部に記憶されているものと一致する場合には、それに付与された種別を手掛かりとして、発呼側通信端末のタイプ（例えば電話機かファクシミリ装置かということ）を正確に予測することができる。
【０００８】
他方、電話番号検出部により検出された電話番号が記憶部に記憶されていない場合には、検出した相手電話番号と種別判定の結果を記録部に追加登録することで、当該記録部のデータ量を充実させることができる。尚、発呼側通信端末装置のタイプ予測が成功する頻度は、記憶部に記憶された相手電話番号及び種別コードに関するデータの蓄積量の過多に影響されることは言うまでもない。
【００１０】
請求項１の通信端末装置によれば、電話番号検出部で検出した発呼側の電話番号が記憶部に記憶されていない場合に、発呼側が非音声端末か否かの判定に基づいて、電話番号検出部が検出した電話番号に、第１の種別（ファクシミリ装置であることを表す）又は第２の種別（電話機であることを表す）が付与され、その検出電話番号と、付与された種別とが対となって記憶部に記憶される。このような発呼側電話番号の検出、種別の付与及び記憶部への登録を繰り返していけば、記憶部の蓄積データ量を充実させ、あるいは、既に蓄積されているデータを常に最新情報で更新（更改）することが可能となる。また、電話番号検出部で検出した発呼側の電話番号が記憶部に第１の種別として記憶されている場合に、ファクシミリ通信手順成立の可否を判定して該手順不成立の場合には第３の種別を付与することで、発呼側通信端末装置がファクシミリ装置とも電話機とも容易に判別がつかない場合にも対応することが可能となる。
【００１１】
尚、請求項１の発明における非音声端末か否かを判定及びその後の第１又は第２の種別の付与は、後述する図２及び図３のフローチャート中のＳ７，Ｓ８及びＳ１８の各処理に準拠する内容である。又、ファクシミリ通信手順成立の可否判定及び第３の種別の付与はＳ２２及びＳ２３の各処理に準拠する内容である。
【００１２】
請求項２の発明は、請求項１に記載の通信端末装置において、前記記憶部に記憶された種別判定の結果は、該通信端末装置に設けられた操作部からの操作によって変更可能であることを特徴とする。
【００１３】
請求項２の通信端末装置によれば、操作部からの操作により利用者は、記憶部に記憶された種別をマニュアルに設定変更することができる。故に、状況に応じた対応の自由度が増大する。
【００１４】
このことによる利益は請求項１の通信端末装置において利用者が自らの判断で種別を置き換えることができるので、機械が発呼側通信端末のタイプの自動判別に成功しなかった部分を人間側でフォローすることが可能となり、本発明の通信端末装置の利便性が高められる。
【００１５】
【発明の実施の形態】
以下に本発明の一実施形態を図面を用いて説明する。図１に示すように、ファクシミリ装置の本体１０は、中央処理ユニット（ＣＰＵ）から構成される信号処理部１１、読み出し専用メモリ（ＲＯＭ）１２、書込及び読出自在な記憶部としてのランダムアクセスメモリ（ＲＡＭ）１３、読取部１４、記録部１５、表示部１６、操作部１７、モニタスピーカ１８、モデムプロセッサ１９、ネットワークコントロールユニット（ＮＣＵ）２０及びタイマＴを備えている。
【００１６】
装置本体１０には、付属電話機３１が備え付けられている。付属電話機３１には、ハンドセット（いわゆる受話器）が外された状態（オフフック状態）か、掛けられた状態（オンフック状態）かを検出するフックスイッチ３１ａが設けられている。フックスイッチ３１ａは、ハンドセットの状態に応じたフック状態検出信号を装置本体１０の信号処理部１１に提供する。
【００１７】
装置本体１０内のＲＯＭ１２は、装置本体１０を制御するための各種の制御プログラムを記憶する。信号処理部１１は、前記各種の制御プログラムに従って装置本体１０を構成する各部を制御する。この信号処理部１１には判定部１１ａが含まれており、この判定部１１ａは、後述するような特定の場合にモデムプロセッサ１９が検出した電話番号と、ＲＡＭ１３に登録されている電話番号とを比較する番号比較手段として機能すると共に、後述するようにモデムプロセッサ１９が検出した電話番号に対して特定の種別コードを付与する種別付与手段として機能する。
【００１８】
記憶部としてのＲＡＭ１３は、画データ記憶部１３ａと、着信履歴記憶部１３ｂとを含んでいる。画データ記憶部１３ａは、受信画データや読取部１４で読み取られた画データを一時的に記憶するために確保されたメモリ領域である。着信履歴記憶部１３ｂは、着信履歴テーブル（図４参照）を記憶するために確保されたメモリ領域である。
【００１９】
この着信履歴テーブルは図４に示すように、「相手電話番号」、「登録種別」及び「最新着信日時」の各欄よりなり、相手電話番号毎にその登録種別と最新着信日時が登録されている。「登録種別」は、その電話番号に対応する相手通信端末が電話機であるかファクシミリ装置であるかの区別を示す。相手通信端末がファクシミリ装置である場合には「ＦＡＸ」の種別コード（第１の種別コード）が記録され、相手通信端末が電話機である場合には「ＴＥＬ」の種別コード（第２の種別コード）が記録され、相手通信端末が電話機兼ファクシミリ装置である場合、又は、電話機であるかファクシミリ装置であるか判然としない場合には「ＴＥＬ／ＦＡＸ」の種別コード（第３の種別コード）が記録される。なお、ＲＡＭ１３は、画データや着信履歴以外の各種情報も一時記憶する。
【００２０】
タイマＴは、信号処理部１１からの起動指令に基づいてカウントを開始し、その後の経過時間を信号処理部１１に知らせる。例えば、タイマＴは、外線通話等における発呼開始又は特定の信号の検出からの経過時間を計測する。尚、タイマＴのタイムアップ時間は信号処理部１１から設定可能となっており、カウント開始からの経過時間が設定されたタイムアップ時間に達すると、タイマＴは信号処理部１１に対してタイムアップした旨の信号を出力する。
【００２１】
読取部１４は、原稿上の画像を読み取って白黒２値のイメージデータ（画データ）を出力する。記録部１５は、電子写真方式のプリンタよりなり、受信画データや読取部１４で読み取った画データを記録紙上に記録する。
【００２２】
表示部１６は、液晶ディスプレイ（ＬＣＤ）等よりなり、装置の動作状態等の各種情報の表示を行う。また、表示部１６は、利用者が着信履歴テーブルの内容を確認できるよう、着信履歴記憶部１３ｂに蓄積されたデータを表示することもできる。
【００２３】
操作部１７は、電話番号等を入力するためのテンキー（＊，＃キーを含む）１７ａや、ワンタッチダイヤルキー及びファクシミリ通信動作を開始させるためのスタートキー等の各種操作キー（図示略）を備えている。また、利用者は操作部１７のキー操作により着信履歴テーブルに蓄積されたデータの変更（書換え）、削除及び追加を行うことができる。例えば、図４の着信履歴テーブルにおける相手電話番号「４４４−４４４４」に現在付与されている種別コード「ＴＥＬ／ＦＡＸ」を、利用者の判断で「ＴＥＬ」又は「ＦＡＸ」のいずれかに変更することができる。また、相手電話番号の変更があった場合には、その変更に係る番号をキー操作によって新しい番号に変更することができる。
【００２４】
モニタスピーカ１８は、電話回線Ｌを介しての相手端末からの発呼やテンキー等のキーの押下操作に応じて、それぞれの呼出音やキー押下音を鳴らす。
ＮＣＵ２０は、ファクシミリ装置本体１０及び付属電話機３１を電話回線Ｌを介して外部の電話交換機３２に接続するための一種の回線インターフェイスである。ＮＣＵ２０は、電話回線Ｌの閉結及び開放を行うとともに、相手通信端末３３（電話機又はファクシミリ装置）の電話番号やファックス番号に対応したダイヤルパルスの送出及び着信を検出することを基本機能とする。
【００２５】
電話交換機３２は、他の通信端末３３が発呼側となって当方（本件のファクシミリ装置）を呼び出している場合、図５に示すような回線信号Ｃ０を当方に送出する。前述したように、回線信号Ｃ０は、所定の発振周波数の呼出信号Ｃ１と、呼出信号Ｃ１の停止期間に重畳されたモデム信号Ｃ２とからなり、モデム信号Ｃ２によって発呼側の電話番号に関するデータ（発信元情報）が搬送される。
【００２６】
ＮＣＵ２０は、呼出信号検出回路２１、トランス２２、スイッチング回路２３及び交流結合部２４を備えている。
呼出信号検出回路２１は、電話交換機３２から電話回線Ｌを介して当該ファクシミリ装置に送出されてきた呼出信号Ｃ１を検出すると共に、呼出信号Ｃ１が検出された旨を信号処理部１１に知らせる。
【００２７】
トランス２２は、電話回線Ｌのいわば折り返し端部に配置されており、その一次側コイルは一対の電話回線Ｌを接続している。トランス２２の二次側コイルはモデムプロセッサ１９に接続されている。トランス２２は、電話回線Ｌとモデムプロセッサ１９との間においてアナログ搬送波（信号）の授受を許容する。
【００２８】
スイッチング回路２３は電話回線Ｌの途中に設けられ、信号処理部１１からの指令に基づいて当該電話回線Ｌの閉結及び開放を行う。このスイッチング回路２３と並列に交流結合部２４が設けられている。交流結合部２４は、抵抗及びコンデンサの直列回路であり、スイッチング回路２３によって電話回線Ｌが開放されている場合でも、交流のアナログ搬送波（例えば回線信号Ｃ０）が、モデムプロセッサ１９及び付属電話機３１と電話交換機３２との間で授受されるのを許容する。
【００２９】
モデムプロセッサ１９は、それ自体がＣＰＵ、ＲＯＭ及びＲＡＭ等（図示略）を内蔵しており、マイクロコンピュータ的に信号の処理及び解析を行うことができる。モデムプロセッサ１９の機能としては、ファクシミリ通信手順を実行するために必要なプロトコル信号（例えばＣＮＧ信号）を検出し及び発生する機能、相手先の電話番号に対応したプッシュトーン信号を発生する機能、並びに、前記モデム信号Ｃ２や送受信データを変調及び復調する機能等がある。更に、モデムプロセッサ１９内には、自己のＣＰＵ、ＲＯＭ及びＲＡＭから構成される電話番号検出部１９ａが構築されている。この電話番号検出部１９ａは、トランス２２を介して提供されるアナログ搬送波（この場合は回線信号Ｃ０）からモデム信号Ｃ２を検出すると共に、この信号を解析して電話番号に関するデータ（発信元情報）を信号処理部１１に提供する。
【００３０】
さて、本件は、外部の通信端末３３が発呼側となり、図１のファクシミリ装置（１０，３１）が被呼側となって通信が行われる場合の着呼後の着信手順及び着信履歴テーブルの更新に特徴がある。この点を中心に図２及び図３のフローチャートを参照しつつ説明する。尚、図２のＳ６（ステップ６の意味、以下同様）からＳ１７までの手順は電話／ファクシミリ自動切換に関するものである。また、図２のＳ３で肯定（ＹＥＳ）判定された後の図３のＳ２０以下の手順は、着信履歴テーブルに記憶された種別コードに基づく着信制御に関するものである。
【００３１】
まず、信号処理部１１は送信動作をしていないときは待機状態にあり、呼出信号Ｃ１が検出されるのを待っている（Ｓ１）。呼出信号検出回路２１によって呼出信号Ｃ１が検出されると（即ち着呼）、信号処理部１１は、モデムプロセッサ１９にモデム信号Ｃ２を取り込ませると共に電話番号検出部１９ａから発信元電話番号のデータの提供を受ける（Ｓ２）。すると、信号処理部１１中の判定部１１ａ（番号比較手段）は、提供された発信元電話番号を着信履歴テーブルに登録された相手電話番号の各々と比較し、一致するものがあるか否かを判定する（Ｓ３）。
【００３２】
発信元電話番号が着信履歴テーブルに登録された相手電話番号のいずれとも一致しない場合、信号処理部１１は、着信履歴記憶部１３ｂにメモリの空き領域があるか否か（即ち、着信履歴テーブルに追加登録の余地があるか否か）をチェックする（Ｓ４）。着信履歴記憶部１３ｂにメモリの空き領域が無い場合、信号処理部１１は、タイムスタンプの最も古い着信履歴データを消去してメモリの空き領域を作り出す（Ｓ５）。例えば、図４に示す着信履歴テーブルが既に満杯状態であるとすれば、最も古い着信日時（１月１日１３：００）の相手電話番号「１１１−１１１１」に関する登録データが消去される。
【００３３】
Ｓ４又はＳ５の処理の後、スイッチング回路２３によって電話回線Ｌが閉結される（Ｓ６）。そして、信号処理部１１は、モデムプロセッサ１９がコーリングトーン信号（ＣＮＧ信号）を検出しているか否かを判定する（Ｓ７）。ＣＮＧ信号は、０．５秒間の１１００Ｈｚのトーン信号であり、発呼側が非音声端末（即ちファクシミリ装置）であることを示す信号である。
【００３４】
Ｓ７においてＣＮＧ信号が検出された場合、信号処理部１１（判定部１１ａ）は、Ｓ２で検出された発信元電話番号を「ＦＡＸ」の種別コード及びその着信日時と共に着信履歴テーブルに登録する（Ｓ８）。その後、定法通りにファクシミリ通信（画データの受信）を行い（Ｓ９）、通信終了後に電話回線Ｌを開放し（Ｓ１０）、受信処理を終了する。
【００３５】
Ｓ７においてＣＮＧ信号が検出されない場合、即ち、発呼側が電話機である場合、信号処理部１１はモニタスピーカ１８に擬似ベルを鳴動させる（Ｓ１１）。それと同時にタイマＴを起動し（Ｓ１２）、付属電話機３１がオフフックされたか否かを判断する（Ｓ１３）。Ｓ１３の判定は、タイマＴがタイムアップするまでの間、継続される（Ｓ１３，Ｓ１４）。尚、タイマＴがタイムアップすると、モニタスピーカ１８による擬似ベル鳴動は停止される（Ｓ１４ａ）。
【００３６】
タイマＴがタイムアップする前に、信号処理部１１がフックスイッチ３１ａからの信号によって付属電話機３１がオフフックされたことを検知した場合には、モニタスピーカ１８からの擬似ベルの鳴動を停止する（Ｓ１５）。そして、付属電話機３１を使っての通話（Ｓ１６）が、付属電話機３１がオンフックされるまで続けられる（Ｓ１６，Ｓ１７）。
【００３７】
Ｓ１６での通話終了後又はＳ１４でのタイムアップ後に、信号処理部１１（判定部１１ａ）は、Ｓ２で検出された発信元電話番号を「ＴＥＬ」の種別コード及びその着信日時と共に着信履歴テーブルに登録する（Ｓ１８）。そして、電話回線Ｌを開放し（Ｓ１０）、受信処理を終了する。
【００３８】
さて、Ｓ３での判定において、検出された発信元電話番号が着信履歴テーブルに登録された相手電話番号のいずれかと一致した場合、着信履歴テーブルにおける当該相手電話番号の着信日時が更新される（Ｓ３ａ）。その後の受信処理は、図３のフローチャートに従って行われる。この場合、信号処理部１１（判定部１１ａ）はまず、検出された発信元電話番号と一致した相手電話番号に付与された種別コードが、「ＦＡＸ」であるか否かを判定する（Ｓ２０）。
【００３９】
その種別コードが「ＦＡＸ」である場合、電話回線Ｌが閉結され（Ｓ２１）、その後にファクシミリ通信手順が成立するか否かが判定される（Ｓ２２）。ファクシミリ通信手順が成立したか否かの判定は、発呼側のファクシミリ装置からディジタル命令信号（ＤＣＳ信号）が送信されてきたか否かに基づいて行われる。そして、ファクシミリ通信手順が成立した場合には、定法通りにファクシミリ通信（画データの受信）を行い（Ｓ９）、通信完了後、電話回線Ｌを開放して（Ｓ１０）、受信処理を終了する。
【００４０】
他方、Ｓ２２において、ファクシミリ通信手順が成立しなかった場合には、Ｓ２で検出された発信元電話番号を「ＴＥＬ／ＦＡＸ」の種別コード及びその着信日時と共に着信履歴テーブルに登録する（Ｓ２３）。この場合、ファクシミリ通信手順が成立しなかった以上ファクシミリ通信はできないので、電話がかかってきたものとして取り扱うべく、信号処理部１１はＳ２７以下の処理を行う。これについては後述する。
【００４１】
Ｓ２０での判定において、種別コードが「ＦＡＸ」ではなかった場合、信号処理部１１（判定部１１ａ）は、Ｓ２で検出された発信元電話番号と一致した相手電話番号に付与された種別コードが「ＴＥＬ／ＦＡＸ」であるか否かを判定する（Ｓ２４）。
【００４２】
その種別コードが「ＴＥＬ／ＦＡＸ」である場合、信号処理部１１は、電話回線Ｌを閉結し（Ｓ２５）、モデムプロセッサ１９がＣＮＧ信号を検出しているか否かを判定する（Ｓ２６）。Ｓ２６においてＣＮＧ信号が検出された場合、信号処理部１１は定法通りにファクシミリ通信（画データの受信）を行い（Ｓ９）、通信終了後に電話回線Ｌを開放し（Ｓ１０）、受信処理を終了する。
【００４３】
Ｓ２６においてＣＮＧ信号が検出されない場合、信号処理部１１はモニタスピーカ１８に擬似ベルを鳴動させる（Ｓ２７）。それと同時にタイマＴを起動し（Ｓ２８）、付属電話機３１がオフフックされたか否かを判断する（Ｓ２９）。Ｓ２９の判定は、タイマＴがタイムアップするまでの間、継続される（Ｓ２９，Ｓ３０）。尚、タイマＴがタイムアップすると、モニタスピーカ１８による擬似ベルの鳴動は停止される（Ｓ３０ａ）。
【００４４】
タイマＴがタイムアップする前に、信号処理部１１がフックスイッチ３１ａからの信号によって付属電話機３１がオフフックされたことを検知した場合には、モニタスピーカ１８からの擬似ベルの鳴動を停止する（Ｓ３１）。そして、付属電話機３１を使っての通話（Ｓ３２）が、付属電話機３１がオンフックされるまで続けられる（Ｓ３２，Ｓ３３）。Ｓ３３で付属電話機３１がオンフックされたとき、及び、Ｓ３０でタイマＴがタイムアップしたときには、信号処理部１１は電話回線Ｌを開放し（Ｓ１０）、受信処理を終了する。
【００４５】
尚、図３におけるＳ２５からＳ３３までの処理は、登録種別が「ＴＥＬ／ＦＡＸ」である場合における、電話又はファクシミリ通信の待機動作である。
Ｓ２４での判定において、Ｓ２で検出された発信元電話番号と一致した相手電話番号に付与された種別コードが「ＴＥＬ／ＦＡＸ」ではなかった場合、即ち、当該種別コードが「ＴＥＬ」である（はずの）場合、信号処理部１１は、モニタスピーカ１８に呼出ベルを鳴動させ（Ｓ３４）、付属電話機３１がオフフックされたか否かを判断する（Ｓ３５）。
【００４６】
Ｓ３５において、信号処理部１１がフックスイッチ３１ａからの信号によって付属電話機３１がオフフックされたことを検知した場合には、呼出ベルの鳴動を停止させ（Ｓ３６）、電話回線Ｌを閉結する（Ｓ３７）。そして、付属電話機３１を使っての通話（Ｓ３２）が、付属電話機３１がオンフックされるまで続けられる（Ｓ３２，Ｓ３３）。Ｓ３３で付属電話機３１がオンフックされたとき、信号処理部１１は電話回線Ｌを開放し（Ｓ１０）、受信処理を終了する。
【００４７】
Ｓ３５において信号処理部１１が付属電話機３１のオフフックを検知できない場合には、信号処理部１１は、呼出信号Ｃ１が断続的に受信されているか否かを判定する（Ｓ３８）。呼出信号Ｃ１が断続的に受信されている限り、信号処理部１１はＳ３５の判定を繰り返す（Ｓ３５，Ｓ３８）。他方、呼出信号Ｃ１の断続的な受信が途絶えた場合には、信号処理部１１は電話交換機３２からの呼出信号Ｃ１の送出が停止したものと判断し、呼出ベルの鳴動を停止させる（Ｓ３９）。こうして、回線が閉結されないまま、受信処理が終了される。
【００４８】
以上詳述した本実施形態は、次のような効果を奏する。
・この通信端末装置における信号処理部１１の判定部１１ａは種別付与手段として、着呼時に電話番号検出部１９ａが検出した電話番号に適切な種別コードを付与しつつ、これらを着信履歴記憶部１３ｂに適宜記憶させる。このため、この通信端末装置は記憶部としてのＲＡＭ１３中の着信履歴記憶部１３ｂの蓄積データ量を自律的に充実させ、又は、既に蓄積されているデータを常に最新情報で更新することができる。
【００４９】
・記憶部としてのＲＡＭ１３中の着信履歴テーブルを利用することで、着呼時に電話番号検出部１９ａが検出した発呼側電話番号に基づき、相手通信端末のタイプをある程度正確に把握することができる。
【００５０】
・この通信端末装置の利用者は、操作部１７からの操作によって、自己の発意により着信履歴テーブル中の種別コードを自由に変更することができる。故に、着信履歴テーブルにおける登録種別を常に適正なものとして、受信処理の効率化を図ることができる。また、種別コードを設定変更可能としたことで、通信端末装置の利便性が高められる。
【００５１】
尚、前記実施形態は、次のように変更して具体化することも可能である。
・前記実施形態では、発呼側の通信装置がファクシミリ装置の場合には、無鳴動のままファクシミリ通信を行うようにしているが（Ｓ３，Ｓ４，Ｓ６，Ｓ７，Ｓ８及びＳ９の流れ、Ｓ３，Ｓ２０，Ｓ２１，Ｓ２２及びＳ９の流れ、並びに、Ｓ３，Ｓ２０，Ｓ２４，Ｓ２５，Ｓ２６及びＳ９の流れ参照）、この場合に擬似ベルを鳴動させつつ自動着信するようにしてもよい。
【００５２】
・前記実施形態では種別コードを三種類としたが、電話回線Ｌを利用した通信端末装置の種類の増大に応じて、第４、第５あるいは第６の種別コードを準備してもよい。
【００５３】
尚、前記開示事項から把握できる特許請求の範囲に記載した以外の技術的思想としては、次のものがあげられる。
付記１：請求項１〜３のいずれか一項に記載の通信端末装置において、前記判定部は、前記電話番号検出部によって検出された発呼側電話番号が前記記憶部に記憶された相手電話番号と一致するか否かを判定する番号比較手段を更に備え、両者が一致する場合において、その一致した相手電話番号に付与された種別がファクシミリ装置を表す第１の種別である場合にはファクシミリ通信として自動着信させ、前記一致した相手電話番号に付与された種別が電話機を表す第２の種別である場合には、回線を閉結することなく、モニタスピーカから呼出ベルを鳴動させること（図２のＳ３、図３のＳ２０，Ｓ２１，Ｓ２２，Ｓ２４，Ｓ３４を参照）。
【００５４】
この構成によれば、発呼側からの通信要求に迅速に対応することができる。
付記２：請求項１〜３及び付記１のいずれか一項に記載の通信端末装置において、回線閉結後に発呼側が非音声端末か否かを判定し、発呼側が非音声端末である場合にはファクシミリ通信を自動的に行い、発呼側が非音声端末でない場合にはモニタスピーカから擬似ベルを鳴動させる信号処理部を備えること（図２のＳ７，Ｓ８，Ｓ１１参照）。
【００５５】
この構成によれば、発呼側からの通信要求に迅速に対応することができる。
付記３：請求項２又は３に記載の通信端末装置において、前記種別付与手段は、それと接続されたモデムプロセッサがコーリングトーン信号（ＣＮＧ信号）を検出しているか否かに基づいて、発呼側が非音声端末か否かを判定すること（図２のＳ７、図３のＳ２６参照）。
【００５６】
この構成によれば、電話交換機からのＣＮＧ信号を利用して、容易に発呼側通信端末のタイプを判断することができる。
【００５７】
【発明の効果】
請求項１，２に記載の発明によれば、通信端末装置に電話番号検出部と判定部と記憶部とを設けたので、回線閉結前の着呼の時点で、発呼側通信端末装置のタイプをある程度の頻度で正確に予測することができ、結果として回線閉結後の通信処理を迅速且つ効率的に行うことができる。
【００５８】
また、請求項１、２に記載の発明によれば、通信端末装置の判定部は種別付与手段を備えているので、着呼時に検出した電話番号に適切な種別を付与しつつ、これらを記憶部に適宜記憶することができる。従って、記憶部の蓄積データ量を充実させ、あるいは、既に蓄積されているデータを常に最新情報で更新することができ、該通信端末装置の能力を自律的に高めていくことができる。
【００５９】
請求項２に記載の発明によれば、通信端末装置に設けられた操作部からの操作によって記憶部内の種別を変更することができるため、状況に応じた対応の自由度が増大すると共に、利用者がこの通信端末装置を利用する際の利便性が高められる。
【図面の簡単な説明】
【図１】一実施形態に従うファクシミリ装置のブロック回路図。
【図２】着呼以後の処理手順を示すフローチャート（前半部）。
【図３】着呼以後の処理手順を示すフローチャート（後半部）。
【図４】着信履歴テーブル。
【図５】発信元電話番号表示サービスにおける回線信号の概要を示す図。
【符号の説明】
１０…ファクシミリ装置の本体、１１…信号処理部、１１ａ…判定部（種別付与手段及び番号比較手段を構成する）、１３…ＲＡＭ（記憶部を構成する）、１３ａ…画データ記憶部、１３ｂ…着信履歴記憶部、１７…操作部、１９…モデムプロセッサ、１９ａ…電話番号検出部、３１…付属電話機（１０，３１は通信端末装置を構成する）、３２…電話交換機、Ｃ０…回線信号、Ｃ１…呼出信号、Ｃ２…モデム信号。
【図１】
0003812114.tif 000002
【図２】
0003812114.tif 000003
【図３】
0003812114.tif 000004
【図４】
0003812114.tif 000005
【図５】
0003812114.tif 000006